(57)【要約】【課題】複数種類の給電方式に対応することができる表示システム、表示装置及び電源変換モジュールを提供する。【解決手段】表示システムは、表示装置２と、電源変換モジュールとを備える。この表示システムでは、電源変換モジュールとして、第１電源変換モジュール及び第２電源変換モジュールを含む複数種類の電源変換モジュールのいずれかが選択的に用いられる。第１電源変換モジュールは、第１電源側接続端子を有する。第２電源変換モジュールは、第２電源側接続端子を有する。表示装置２は、第１表示側接続端子１３０及び第２表示側接続端子を含む複数種類の表示側接続端子を有する。第１表示側接続端子１３０は、第１電源側接続端子の移動を規制しない状態で第１電源側接続端子が電気的に接続される。第２表示側接続端子は、第２電源側接続端子の移動を規制している状態で第２電源側接続端子が電気的に接続される。【選択図】図３
2018097271.tif 000002
【特許請求の範囲】
【請求項１】
外部からの情報に基づいて表示を行う表示装置と、
外部から供給される電力を前記表示装置に適した電力に変換する電源変換モジュールとを備え、
前記電源変換モジュールとして、第１電源変換モジュール及び第２電源変換モジュールを含む複数種類の電源変換モジュールのいずれかが選択的に用いられ、
前記第１電源変換モジュールは、第１電源側接続端子を有し、
前記第２電源変換モジュールは、前記第１電源側接続端子と形状が異なる第２電源側接続端子を有し、
前記表示装置は、第１表示側接続端子及び第２表示側接続端子を含む複数種類の表示側接続端子を有し、
前記第１表示側接続端子は、前記第１電源側接続端子の移動を規制しない状態で前記第１電源側接続端子が電気的に接続されるように構成され、
前記第２表示側接続端子は、前記第２電源側接続端子の移動を規制している状態で前記第２電源側接続端子が電気的に接続されるように構成されている
ことを特徴とする表示システム。
【請求項２】
前記第２電源変換モジュールは、前記表示装置に対して着脱可能であり、
前記第２電源変換モジュールは、前記表示装置に取り付けられた状態において前記複数種類の表示側接続端子のうち前記第２表示側接続端子を除いた残りの表示側接続端子への接続を阻止する接続阻止部を有している
ことを特徴とする請求項１に記載の表示システム。
【請求項３】
前記第２電源変換モジュールは、造営材に前記表示装置を取り付けるための取付ベースと一体である
ことを特徴とする請求項１又は２に記載の表示システム。
【請求項４】
前記第２電源変換モジュールは、前記造営材に前記表示装置を取り付けた状態において前記造営材の内側に埋め込まれている
ことを特徴とする請求項３に記載の表示システム。
【請求項５】
請求項１〜４のいずれか１項に記載の表示システムに用いられる
ことを特徴とする表示装置。
【請求項６】
請求項１〜４のいずれか１項に記載の表示システムに用いられる
ことを特徴とする電源変換モジュール。
【発明の詳細な説明】
【技術分野】
【０００１】
本発明は、一般に表示システム、表示装置及び電源変換モジュールに関し、より詳細には、外部からの情報に基づいて表示を行う表示システム、表示装置及び電源変換モジュールに関する。
【背景技術】
【０００２】
従来、測定装置にて測定された電力量を表示可能な表示装置が提供されている（例えば特許文献１参照）。特許文献１に記載の表示装置は、表示部と、表示部が前面側に設けられ背面側を壁側として壁に取付可能な箱体と、箱体の背面側に着脱可能に取り付けられ箱体を立設支持する背面支持カバーとを備える。特許文献１に記載の表示装置では、箱体の背面側に設けられた差込部に外部からの電源コードの先端に設けられた電源コネクタを差し込むことで給電される。
【先行技術文献】
【特許文献】
【０００３】
【特許文献１】特開２０１２−２２６１２３号公報
【発明の概要】
【発明が解決しようとする課題】
【０００４】
ところで、特許文献１に記載の表示装置では、上記電源コネクタが差し込まれる差込部しか設けられておらず、異なる給電方式に対応するように構成されていなかった。
【０００５】
本発明は上記課題に鑑みてなされており、複数種類の給電方式に対応することができる表示システム、表示装置及び電源変換モジュールを提供することを目的とする。
【課題を解決するための手段】
【０００６】
本発明の一態様に係る表示システムは、外部からの情報に基づいて表示を行う表示装置と、外部から供給される電力を前記表示装置に適した電力に変換する電源変換モジュールとを備える。前記表示システムでは、前記電源変換モジュールとして、第１電源変換モジュール及び第２電源変換モジュールを含む複数種類の電源変換モジュールのいずれかが選択的に用いられる。前記第１電源変換モジュールは、第１電源側接続端子を有する。前記第２電源変換モジュールは、前記第１電源側接続端子と形状が異なる第２電源側接続端子を有する。前記表示装置は、第１表示側接続端子及び第２表示側接続端子を含む複数種類の表示側接続端子を有する。前記第１表示側接続端子は、前記第１電源側接続端子の移動を規制しない状態で前記第１電源側接続端子が電気的に接続されるように構成されている。前記第２表示側接続端子は、前記第２電源側接続端子の移動を規制している状態で前記第２電源側接続端子が電気的に接続されるように構成されている。
【０００７】
本発明の一態様に係る表示装置は、上述の表示システムに用いられる。
【０００８】
本発明の一態様に係る電源変換モジュールは、上述の表示システムに用いられる。
【発明の効果】
【０００９】
本発明によれば、複数種類の給電方式に対応することができる。
【図面の簡単な説明】
【００１０】
【図１】図１は、本発明の一実施形態に係る表示システム、表示装置及び電源変換モジュールを背面側から見た斜視図である。
【図２】図２Ａは、同上の表示装置の正面図、図２Ｂは背面図である。
【図３】図３は、同上の表示装置を背面側から見た斜視図である。
【図４】図４Ａは、同上の表示装置に取り付けられる支持ベースの正面図、図４Ｂは右側面図、図４Ｃは背面図である。
【図５】図５Ａは、同上の表示装置に支持ベースを取り付ける前の要部を示す断面図、図５Ｂは、同上の表示装置に支持ベースを取り付けた後の要部を示す断面図である。
【図６】図６は、同上の表示装置に電源変換モジュールを取り付けた状態を示す背面図である。
【図７】図７Ａは、同上の表示装置に取り付けられる電源変換モジュールの正面図、図７Ｂは左側面図、図７Ｃは底面図、図７Ｄは背面図である。
【発明を実施するための形態】
【００１１】
以下、本発明の一実施形態について説明する。下記の実施形態は、本発明の様々な実施形態の一つに過ぎない。また、下記の実施形態は、本発明の目的を達成できれば、設計等に応じて種々の変更が可能である。
【００１２】
本実施形態の表示システムは、例えば需要家にて消費される資源の消費量を計測する計測装置からの計測データに基づいて需要家の資源の消費量等の表示を行うためのシステムである。ここで、資源は、例えば電力、ガス、水道、熱などであって、電力であれば電力会社が供給事業者となり、ガスであればガス会社が供給事業者となり、水道であれば水道事業者が供給事業者となる。以下では、資源が電力である場合を例として説明するが、電力に限らず、電力以外の資源についても表示システムは適用可能である。また、以下では、表示システムが、資源の需要家である集合住宅の各住戸に用いられている場合を例として説明するが、資源の需要家は、集合住宅の各住戸に限らず、例えば戸建て住宅、事務所、店舗等であってもよい。
【００１３】
本実施形態の表示システム１は、図１に示すように、表示装置２と、支持ベース３と、第１電源変換モジュール（電源変換モジュール）４とを備えている。この表示システム１は、例えば集合住宅の各住戸に設けられた机、テーブル等の上面に置かれて使用される卓上タイプの表示システムである。なお、以下の説明では特に断りのない限り、図１〜図７Ｄに示す矢印により、表示システム１及び表示装置２の上下、左右、前後の各方向を規定する。ただし、これらの方向は表示システム１及び表示装置２の使用方向を規定する趣旨ではない。また、図１〜図７Ｄに示す矢印は、単に説明を補助する目的で記載しているに過ぎず、実体を伴わない。
【００１４】
表示装置２は、図２Ａ、図２Ｂ及び図３に示すように、表示部５と、筐体６と、枠体７とを備えている。
【００１５】
表示部５は、例えば液晶パネルのような表示装置とタッチパッドのような位置入力装置とを組み合わせて構成された、いわゆるタッチパネルである。すなわち、表示部５は、計測装置からの計測データに基づいて需要家の電力消費量等を表示する機能と、ユーザ（例えば、集合住宅の各住戸の住人）によって押された液晶パネルの位置に応じた信号を入力する機能とを有している。なお、表示部５は、液晶パネルに限らず、有機ＥＬパネル等であってもよい。
【００１６】
また、表示部５は、プリント配線板からなる制御基板を有している。制御基板の前面には、需要家の電力消費量等を表示部５に表示させる際に操作される開始スイッチと、表示部５による表示を終了させる際に操作される終了スイッチとが実装されている。また、制御基板の後面には、当該制御基板に電源を供給するための第１表示側コネクタ１３（図３参照）及び第２表示側コネクタ１４と、外部からのＬＡＮケーブルが着脱可能に接続される第３表示側コネクタ１５とが実装されている。なお、第１表示側コネクタ１３と第２表示側コネクタ１４とは、制御基板に形成された導体パターンにより直結（電気的に接続）されている。
【００１７】
筐体６は、例えばＡＢＳ（Acrylonitrile Butadiene Styrene）樹脂等の合成樹脂により左右方向に長い矩形箱状に形成されている。筐体６は、図２Ａ、図２Ｂ及び図３に示すように、カバー６１と、ボディ６２とを有している。
【００１８】
カバー６１は、後面が開口した厚みの薄い箱状である。カバー６１の前面中央には、上述した表示部５の画面を露出させるための開口部６１１が設けられている。開口部６１１は、左右方向に長い矩形状である。また、カバー６１の前面において開口部６１１の右側には、上下方向に並ぶ２つの第１貫通孔６１２及び第２貫通孔６１３が設けられている。第１貫通孔６１２は、制御基板に実装された開始スイッチに対応する位置に設けられており、開始スイッチの前方に位置する操作ボタン１１が孔内に配置される。第２貫通孔６１３は、制御基板に実装された終了スイッチに対応する位置に設けられており、終了スイッチの前方に位置する操作ボタン１２が孔内に配置される。
【００１９】
ボディ６２は、前面が開口した厚みの薄い箱状であり、ボディ６２の左右方向及び上下方向の寸法は、カバー６１とほぼ同じである。そして、カバー６１の後面開口とボディ６２の前面開口とを向かい合わせた状態で両者を結合させることにより筐体６が組み立てられる。ボディ６２の後面中央には、前方に凹むように形成された矩形の凹部６２０が設けられている。凹部６２０の左寄りの位置には、第１突出部６２１と、第２突出部６２２と、第３突出部６２３とが設けられている。
【００２０】
第１突出部６２１は、制御基板に実装された第１表示側コネクタ１３と対応する位置に設けられている。第１突出部６２１は、凹部６２０の底面から後方に突出した角筒状である。第１突出部６２１の右側面には、左右方向に貫通する第１露出孔６２１０（図３参照）が設けられている。そして、表示装置２を組み立てた状態では、第１表示側コネクタ１３が第１露出孔６２１０内に配置される（図３参照）。
【００２１】
第１表示側コネクタ１３には、第１電源変換モジュール４からの電源ケーブル４２の先端に設けられた第１電源側コネクタ４３が着脱可能に接続される（図１参照）。また、第１表示側コネクタ１３は、第１電源側コネクタ４３の移動を規制しない状態で、第１表示側コネクタ１３の第１表示側接続端子１３０と第１電源側コネクタ４３の第１電源側接続端子４３０（図１参照）とが電気的に接続されるように構成されている。言い換えると、第１表示側コネクタ１３及び第１電源側コネクタ４３には、第１表示側コネクタ１３から第１電源側コネクタ４３が抜けないようにするための抜け止め機構が設けられていない。そのため、第１表示側コネクタ１３に対して第１電源側コネクタ４３を容易に着脱することができる。このように、着脱容易なコネクタを使用することによって、表示装置２を卓上に置いて使用する場合に、表示装置２の位置を容易に変更することができる。
【００２２】
第２突出部６２２は、制御基板に実装された第２表示側コネクタ１４と対応する位置に設けられている。第２突出部６２２は、凹部６２０の底面から後方に突出した直方体状である。第２突出部６２２の第２表示側コネクタ１４との対向面には、前後方向に貫通する第２露出孔６２２０が設けられている。そして、表示装置２を組み立てた状態では、第２表示側コネクタ１４が第２露出孔６２２０内に配置される。
【００２３】
第２表示側コネクタ１４には、後述する第２電源変換モジュール９からの電源ケーブル９３の先端に設けられた第２電源側コネクタ９４が着脱可能に接続される（図７Ａ〜図７Ｄ参照）。また、第２表示側コネクタ１４は、第２電源側コネクタ９４の移動を規制している状態で、第２表示側コネクタ１４の第２表示側接続端子１４０と第２電源側コネクタ９４の第２電源側接続端子９４０（図７Ａ参照）とが電気的に接続されるように構成されている。言い換えると、第２表示側コネクタ１４及び第２電源側コネクタ９４には、第２表示側コネクタ１４から第２電源側コネクタ９４が抜けないようにするための抜け止め機構が設けられている。抜け止め機構は、例えば第２表示側コネクタ１４に設けられた引掛爪と、第２電源側コネクタ９４に設けられ上記引掛爪が引っ掛けられる引掛溝とで構成される。なお、抜け止め機構は上記構成に限定されない。
【００２４】
第３突出部６２３は、制御基板に実装された第３表示側コネクタ１５と対応する位置に設けられている。第３突出部６２３は、凹部６２０の底面から後方に突出した角筒状である。第３突出部６２３の第３表示側コネクタ１５との対向面には、前後方向に貫通する第３露出孔６２３０が設けられている。そして、表示装置２を組み立てた状態では、第３表示側コネクタ１５が第３露出孔６２３０を通して後方に露出している（図３参照）。第３表示側コネクタ１５は、例えばＬＡＮ（Local Area Network）用のモジュラジャックであり、外部からのＬＡＮケーブルの先端に設けられたモジュラプラグが着脱可能に接続される。
【００２５】
また、第１突出部６２１の右側（図２Ｂの左側）には、第１電源変換モジュール４からの電源ケーブル４２を収容するための収容溝６２４が上下方向に沿って設けられている。収容溝６２４の端縁には、収容溝６２４側に突出する突片６２５が設けられている。そのため、収容溝６２４に電源ケーブル４２を収容させた状態では、突片６２５により電源ケーブル４２が収容溝６２４内に保持される。このように、突片６２５により電源ケーブル４２を保持させることで、第１電源側コネクタ４３の移動を規制することができ、これにより電源ケーブル４２に対して外力が加えられた場合でも、第１電源側コネクタ４３が抜けにくくなる。
【００２６】
また、凹部６２０には、第１突台部６２６と、第２突台部６２７とが設けられている。第１突台部６２６は、上下方向における中央寄りで、かつ左右方向における左端の位置において、後方に突出した直方体状である。言い換えると、第１突台部６２６は、上述した第１突出部６２１、第２突出部６２２及び第３突出部６２３の左側に設けられている。第２突台部６２７は、上下方向における中央寄りで、かつ左右方向における右端の位置において、後方に突出した直方体状である。第２突台部６２７は、第１突台部６２６に比べて上下方向に沿った長さ寸法が短い。
【００２７】
また、凹部６２０には、支持ベース３を取り付けるための４つの支持片６２８が設けられている。これら４つの支持片６２８は、上下方向に長い板状である。４つの支持片６２８のうちの２つは、上下方向における上端で、かつ左右方向における右端の位置、及び上下方向における上端で、かつ左右方向における左端の位置にそれぞれ設けられている。また、４つの支持片６２８のうち残りの２つは、上述した第１突台部６２６及び第２突台部６２７の下端にそれぞれ設けられている。これら４つの支持片６２８は、凹部６２０の底面との間に間隔を空けた状態で設けられている。
【００２８】
また、凹部６２０には、２つの引掛部６２９が設けられている。２つの引掛部６２９は、上述した第１突台部６２６及び第２突台部６２７の上側にそれぞれ設けられている。各引掛部６２９は、上下方向に間隔を空けて配置された一対の横片６２９０と、一対の横片６２９０を連結する縦片６２９１とで、前後方向から見た形状がＵ字状に形成されている（図３参照）。また、各引掛部６２９の縦片６２９１には、内向きに突出する三角状の突起６３０が設けられている。
【００２９】
枠体７は、例えばアクリル樹脂等の透光性を有する合成樹脂により矩形枠状に形成されている。枠体７は、筐体６の上面に沿って配置される上枠部７１と、筐体６の右側面に沿って配置される右枠部７２と、筐体６の下面に沿って配置される下枠部７３と、筐体６の左側面に沿って配置される左枠部７４とを有している。枠体７は、上述の制御基板に実装された複数の発光素子からなる光源からの光を外部に拡散させる拡散部材として機能する。発光部は、例えば需要家の電力消費量の目標値に対する達成度に応じて、点灯させる発光素子の個数を変更したり、発光色を変更したりするように構成されている。
【００３０】
支持ベース３は、筐体６と同様に、例えばＡＢＳ樹脂等の合成樹脂により形成されている。支持ベース３は、図４Ａ〜図４Ｃに示すように、ベース本体３１と、ベース本体３１の下部において一体に形成された脚部３２とを有している。ベース本体３１は、矩形板状であり、表示装置２に支持ベース３が取り付けられた状態で凹部６２０の全体を覆う大きさに形成されている。ベース本体３１の前面における四隅近傍には、差込片３１１がそれぞれ設けられている。各差込片３１１は、ベース本体３１の前面から前方に突出し、かつその先端から上方に突出したＬ字状である。また、４つの差込片３１１のうち上側に位置する２つの差込片３１１の下側には、ベース本体３１の前面から前方に突出した三角状の突起３１２がそれぞれ設けられている。
【００３１】
さらに、ベース本体３１の左寄りの位置には、前後方向に貫通する矩形の開口部３１３が設けられている。この開口部３１３は、表示装置２に支持ベース３が取り付けられた状態において第３表示側コネクタ１５と対応する位置に設けられている。そして、外部からのＬＡＮケーブルを表示装置２に接続する場合には、開口部３１３内に位置する第３表示側コネクタ１５にＬＡＮケーブルの第３電源側コネクタ（図示せず）を接続する。また、ＬＡＮケーブルを表示装置２に接続しない場合には、着脱可能に設けられた目隠し板３３によって開口部３１３が塞がれる（図４Ｃ参照）。
【００３２】
ベース本体３１の下部には、脚部３２が一体に形成されている。この脚部３２は、左右方向から見た形状が三角状であって、ベース本体３１から後方に突出している。脚部３２の下面には、第１電源変換モジュール４からの電源ケーブル４２及び電源ケーブル４２の先端に設けられた第１電源側コネクタ４３を通すための開口部３２１が設けられている。
【００３３】
第１電源変換モジュール４は、例えば商用電源から入力される交流電力を直流電力に変換するＡＣ−ＤＣアダプタである。第１電源変換モジュール４は、図１に示すように、アダプタ本体４１と、アダプタ本体４１に収納された電源変換回路の出力端に電気的に接続された電源ケーブル４２と、電源ケーブル４２の先端に設けられた第１電源側コネクタ４３とを有している。アダプタ本体４１の一面（図１の下面）には、電源変換回路の入力端に電気的に接続された一対の栓刃４１０が設けられている。ここで、電源変換回路は、外部から供給される電力（交流電力）を表示装置２に適した電力（直流電力）に変換するように構成されている。例えば本実施形態では、電源変換回路は、商用電源から供給されるＡＣ１００〔Ｖ〕を表示装置２に適したＤＣ５〔Ｖ〕に変換する。すなわち、表示装置２には、第１電源変換モジュール４により変換されたＤＣ５〔Ｖ〕が動作電源として供給される。
【００３４】
次に、本実施形態の表示システム１の組立手順について、図１、図５Ａ及び図５Ｂを参照して説明する。図５Ａは、表示装置２に支持ベース３を取り付ける前の要部を示す断面図である。図５Ｂは、表示装置２に支持ベース３を取り付けた後の要部を示す断面図である。なお、図５Ａ及び図５Ｂでは、上側かつ右側に設けられた差込片３１１及び支持片６２８のみが図示されているが、残りの３つの差込片３１１及び支持片６２８についても同様である。また、図５Ａ及び図５Ｂでは、右側に設けられた突起３１２，６３０のみが図示されているが、左側の突起３１２，６３０についても同様である。
【００３５】
最初に、ユーザは、支持ベース３の脚部３２に設けられた開口部３２１に第１電源変換モジュール４の電源ケーブル４２を通す。このとき、ユーザは、第１電源側コネクタ４３側（つまりアダプタ本体４１と反対側）から電源ケーブル４２を開口部３２１に通す。次に、ユーザは、表示装置２に設けられた第１表示側コネクタ１３に第１電源側コネクタ４３を接続し、第１表示側接続端子１３０と第１電源側接続端子４３０（図１参照）とを電気的に接続する。その後、ユーザは、第１電源側コネクタ４３から伸びる電源ケーブル４２を収容溝６２４に収容する。
【００３６】
続けて、ユーザは、表示装置２のボディ６２に設けられた凹部６２０を支持ベース３のベース本体３１で覆う。このとき、支持ベース３に設けられた４つの差込片３１１の各々は、ボディ６２に設けられた４つの支持片６２８のうち対応する支持片６２８の下側に位置している（図５Ａ参照）。またこのとき、支持ベース３に設けられた２つの突起３１２の各々は、ボディ６２に設けられた２つの突起６３０のうち対応する突起６３０に引っ掛かっていない（図５Ａ参照）。
【００３７】
その後、ユーザは、表示装置２に対して支持ベース３を上向きにスライドさせる。これにより、表示装置２に支持ベース３が取り付けられる。このとき、４つの差込片３１１の各々は、対応する支持片６２８と凹部６２０の底面との間に差し込まれる（図５Ｂ参照）。またこのとき、２つの突起３１２の各々は、対応する突起６３０に引っ掛かる（図５Ｂ参照）。
【００３８】
なお、表示装置２から支持ベース３を取り外す場合には、表示装置２に対して支持ベース３を下向きにスライドさせる。これにより、４つの差込片３１１の各々は、対応する支持片６２８から外れる方向（下方向）に移動し、かつ２つの突起３１２の各々は、対応する突起６３０から外れる（図５Ａ参照）。その後、表示装置２に対して支持ベース３を後方に移動させることにより、表示装置２から支持ベース３が取り外される。
【００３９】
ここで、表示装置２に支持ベース３が取り付けられた状態では、ベース本体３１によって第２表示側コネクタ１４が覆われている。そのため、表示装置２を卓上設置する場合には、表示装置２に第２電源変換モジュール９を接続することができない。すなわち、表示装置２に第１表示側コネクタ１３と第２表示側コネクタ１４とが設けられていても、いずれか一方のコネクタしか使用することができない。このように、本実施形態の表示システム１によれば、第１電源変換モジュール４と第２電源変換モジュール９とが表示装置２に同時に接続されるのを防ぐことができる。
【００４０】
ところで、本実施形態の表示システム１は、上述した支持ベース３及び第１電源変換モジュール４の代わりに、電源変換ユニット８を用いることにより、壁等の造営材に取り付けて使用することもできる。以下、表示システム１を造営材に取り付けて使用する場合について図６及び図７Ａ〜図７Ｄを参照して説明する。
【００４１】
本実施形態の表示システム１は、図６に示すように、表示装置２と、電源変換ユニット８とを備えている。なお、表示装置２については既に述べているため、ここでは説明を省略する。
【００４２】
電源変換ユニット８は、図７Ａ〜図７Ｄに示すように、第２電源変換モジュール９と、取付ベース１０とが一体に構成されている。
【００４３】
第２電源変換モジュール９は、例えばＡＢＳ樹脂等の合成樹脂により直方体状に形成されたケース９１と、電源変換回路と、電源変換回路の入力端に電気的に接続された一対の速結端子９２とを備えている。電源変換回路及び一対の速結端子９２は、ケース９１に収納される。
【００４４】
電源変換回路は、外部から供給される電力（交流電力）を表示装置２に適した電力（直流電力）に変換するように構成されている。例えば本実施形態では、電源変換回路は、商用電源から供給されるＡＣ１００〔Ｖ〕を表示装置２に適したＤＣ５〔Ｖ〕に変換する。一対の速結端子９２の各々は、ケース９１に設けられた一対の電線挿入孔９１１（図７Ｃ参照）のうち対応する電線挿入孔９１１内に配置されている。そして、商用電源からの電源線の各芯線を一対の速結端子９２の各々に接続することにより、商用電源から電源変換回路にＡＣ１００〔Ｖ〕が供給される。
【００４５】
また、電源変換回路の出力端には、電源ケーブル９３が電気的に接続されている。この電源ケーブル９３の先端には、表示装置２に設けられた第２表示側コネクタ１４に着脱可能に接続される第２電源側コネクタ９４が設けられている。第２表示側コネクタ１４及び第２電源側コネクタ９４には、上述したように抜け止め機構が設けられており、第２表示側コネクタ１４に第２電源側コネクタ９４が接続された状態では、第２電源側コネクタ９４が抜けないように構成されている。表示システム１を造営材に取り付ける場合、電源変換ユニット８は、造営材の内側（裏側）に配置されることになるため、第２表示側コネクタ１４及び第２電源側コネクタ９４のように、簡単に外れにくい構成であることが好ましい。
【００４６】
ケース９１の左側面には、電源ケーブル９３を外部に引き出すための引き出し孔９１２と、引き出し孔９１２から外部に引き出された電源ケーブル９３を保持するケーブル保持部９１３とが設けられている。ケーブル保持部９１３は、ケース９１の左側面から左向きに突出し、かつその先端が後向きに突出したＬ字状である。
【００４７】
取付ベース１０は、例えばＡＢＳ樹脂等の合成樹脂により矩形平板状に形成されている。取付ベース１０の四隅近傍には、外向き（左向き又は右向き）に突出する矩形の差込片１０１がそれぞれ設けられている。これら４つの差込片１０１は、取付ベース１０に表示装置２が取り付けられた状態において、表示装置２の筐体６（厳密にはボディ６２）に設けられた４つの支持片６２８と凹部６２０の底面との間にそれぞれ差し込まれる。また、４つの差込片１０１のうち上側に位置する２つの差込片１０１の下側には、外向き（左向き又は右向き）に突出する三角状の突起１０２がそれぞれ設けられている。
【００４８】
さらに、取付ベース１０の左右方向における両側には、表示装置２の筐体６（厳密にはボディ６２）に設けられた第１突台部６２６及び第２突台部６２７を逃がすための逃がし部１０３がそれぞれ設けられている。これらの逃がし部１０３は、取付ベース１０に表示装置２を取り付ける際に第１突台部６２６又は第２突台部６２７が接触しない大きさに形成されている。また、取付ベース１０の左寄りの位置には、前後方向に貫通する矩形の開口部１０４が設けられている。この開口部１０４は、取付ベース１０に表示装置２が取り付けられた状態で、第１突出部６２１、第２突出部６２２及び第３突出部６２３と対応する位置に設けられている。そのため、第２電源変換モジュール９からの電源ケーブル９３を、開口部１０４を通して表示装置２に接続することができ、さらに造営材の内側（裏側）に配線されたＬＡＮケーブルを、開口部１０４を通して表示装置２に接続することができる。
【００４９】
また、取付ベース１０の前面には、前方に突出する矩形板状の接続阻止部１０６が設けられている。この接続阻止部１０６は、取付ベース１０に表示装置２が取り付けられた状態において、第１露出孔６２１０を塞ぐように構成されている。言い換えると、接続阻止部１０６は、取付ベース１０に表示装置２が取り付けられた状態において、第１露出孔６２１０と対向する位置に設けられている。したがって、取付ベース１０に表示装置２が取り付けられた状態では、接続阻止部１０６によって第１露出孔６２１０が塞がれており、第１電源変換モジュール４からの第１電源側コネクタ４３を第１表示側コネクタ１３に接続することができない。つまり、この場合にも、第１電源変換モジュール４と第２電源変換モジュール９とを表示装置２に同時に接続することができない。
【００５０】
取付ベース１０は、前後方向に貫通する４つの取付孔１０５に通された固定ねじを用いて、造営材に埋め込まれた埋込ボックスに取り付けることができる。そして、埋込ボックスに取り付けられた取付ベース１０に表示装置２を取り付けることで、表示システム１の施工が完了する。
【００５１】
ここで、取付ベース１０の前面側に設けられた切替スイッチ１６（図７Ａ参照）は、第２電源変換モジュール９から表示装置２へ供給される直流電力（ＤＣ５〔Ｖ〕）を供給する状態と、直流電力の供給を停止する状態とを切り替えるためのスイッチである。
【００５２】
次に、造営材に取り付けられた取付ベース１０に表示装置２を取り付ける手順について説明する。以下では、商用電源からの電源線の各芯線が一対の速結端子９２の各々に予め接続されていると仮定して説明する。
【００５３】
最初に、施工者は、取付ベース１０に設けられた開口部１０４を通して、第２電源変換モジュール９からの電源ケーブル９３を前方に引き出し、表示装置２の第２表示側コネクタ１４に電源ケーブル９３の先端に設けられた第２電源側コネクタ９４を接続する。続けて、施工者は、表示装置２の後面側（ボディ６２側）を造営材側に向けた状態で取付ベース１０に近づけていき、表示装置２の筐体６に設けられた凹部６２０内に取付ベース１０を収納する。このとき、取付ベース１０に設けられた４つの差込片１０１の各々は、表示装置２に設けられた４つの支持片６２８のうち対応する支持片６２８の下側に位置している。またこのとき、取付ベース１０に設けられた２つの突起１０２の各々は、表示装置２に設けられた２つの突起６３０のうち対応する突起６３０に引っ掛かっていない。
【００５４】
その後、施工者は、取付ベース１０に対して表示装置２を下向きにスライドさせることで、取付ベース１０に表示装置２が取り付けられる。このとき、４つの差込片１０１の各々は、対応する支持片６２８と凹部６２０の底面との間に差し込まれる（図６参照）。またこのとき、２つの突起１０２の各々は、対応する突起６３０に引っ掛かる（図６参照）。
【００５５】
ここで、本実施形態の表示システム１では、表示装置２のボディ６２に設けられた第１突台部６２６及び第２突台部６２７を逃がすための逃がし部１０３を取付ベース１０に設けており、これにより取付ベース１０を凹部６２０内に収めることができる。その結果、造営材からの突出量を小さくすることができる。
【００５６】
また、本実施形態の表示システム１では、支持ベース３と第１電源変換モジュール４とを用いることで卓上に置いて使用することができ、電源変換ユニット８を用いることで造営材に取り付けて使用することができる。つまり、本実施形態の表示システム１によれば、表示装置２の設置形態を需要家ごとに選択することができる。
【００５７】
さらに、本実施形態の表示システム１では、表示装置２を造営材に取り付ける場合には第２表示側コネクタ１４と第２電源側コネクタ９４とを接続し、表示装置２を卓上に置く場合には第１表示側コネクタ１３と第１電源側コネクタ４３とを接続する。つまり、本実施形態の表示システム１によれば、表示装置２への給電方式を、表示装置２の設置形態に応じて選択することができる。言い換えると、本実施形態の表示システム１によれば、複数種類の給電方式に対応することができる。
【００５８】
以下、本実施形態の表示システム１、表示装置２及び電源変換モジュール（第１電源変換モジュール４、第２電源変換モジュール９）の変形例について説明する。
【００５９】
上述の実施形態では、表示装置２が、計測装置からの計測データに基づいて需要家の資源の消費量等を表示する場合を例として説明したが、表示装置２は、外部からの情報に基づいて表示を行うように構成されていればよく、上述の実施形態に限定されない。例えば、表示装置２は、インターホンシステムに用いられて、玄関等に設置されたカメラからの映像を表示可能な宅内モニタ（インターホン親機）であってもよい。
【００６０】
また、上述の実施形態では、第１電源変換モジュール４と第２電源変換モジュール９とが選択的に用いられる場合を例として説明したが、３種類以上の電源変換モジュールが選択的に用いられるように構成されていてもよい。
【００６１】
また、上述の実施形態で説明した第１表示側コネクタ１３及び第２表示側コネクタ１４の接続端子の形状は一例であって、本実施形態に限定されない。また、第１電源側コネクタ４３及び第２電源側コネクタ９４の接続端子の形状についても一例であり、第１表示側コネクタ１３及び第２表示側コネクタ１４の接続端子の形状に合わせて適宜変更可能である。
【００６２】
また、上述の実施形態では、接続阻止部１０６により第１電源側コネクタ４３が差し込まれる第１露出孔６２１０を塞ぐように構成されているが、第１電源側コネクタ４３を接続できないように構成されていればよく、第１露出孔６２１０が塞がれていなくてもよい。
【００６３】
また、上述の実施形態では、第１電源変換モジュール４がＡＣ−ＤＣアダプタである場合を例として説明したが、第１電源変換モジュール４はＡＣ−ＤＣアダプタに限らず、例えばＡＣ−ＡＣアダプタ、ＤＣ−ＤＣアダプタ等であってもよい。すなわち、電源変換モジュールは、外部から入力される電力を表示装置に適した電力に変更可能であればよい。
【００６４】
また、表示装置２を卓上設置する場合、上述した支持ベース３及び第１電源変換モジュール４の代わりに、クレードルで構成されていてもよい。この場合、クレードルに表示装置２を置くことにより、クレードルから表示装置２に電力が供給される。またこの場合、計測装置からの計測データが、クレードルを介して表示装置２に伝送されるように構成されていてもよい。
【００６５】
以上述べた実施形態から明らかなように、第１の態様の表示システム１は、表示装置２と、電源変換モジュール（第１電源変換モジュール４、第２電源変換モジュール９）とを備える。表示装置２は、外部からの情報に基づいて表示を行う。電源変換モジュールは、外部から供給される電力を表示装置２に適した電力に変換する。表示システム１では、電源変換モジュールとして、第１電源変換モジュール４及び第２電源変換モジュール９を含む複数種類の電源変換モジュールのいずれかが選択的に用いられる。第１電源変換モジュール４は、第１電源側接続端子４３０を有する。第２電源変換モジュール９は、第１電源側接続端子４３０と形状が異なる第２電源側接続端子９４０を有する。表示装置２は、第１表示側接続端子１３０及び第２表示側接続端子１４０を含む複数種類の表示側接続端子を有する。第１表示側接続端子１３０は、第１電源側接続端子４３０の移動を規制しない状態で第１電源側接続端子４３０が電気的に接続されるように構成されている。第２表示側接続端子１４０は、第２電源側接続端子９４０の移動を規制している状態で第２電源側接続端子９４０が電気的に接続されるように構成されている。
【００６６】
第１の態様によれば、第１表示側接続端子１３０及び第２表示側接続端子１４０を含む複数種類の表示側接続端子が表示装置２に設けられているので、表示装置２への給電方式を選択することができる。言い換えると、第１の態様によれば、複数種類の給電方式に対応することができる。
【００６７】
第２の態様の表示システム１では、第１の態様において、第２電源変換モジュール９は、表示装置２に対して着脱可能である。第２電源変換モジュール９は、表示装置２に取り付けられた状態において複数種類の表示側接続端子のうち第２表示側接続端子１４０を除いた残りの表示側接続端子への接続を阻止する接続阻止部１０６を有している。
【００６８】
第２の態様によれば、第２電源変換モジュール９に接続阻止部１０６が設けられているので、第２電源変換モジュール９を表示装置２に取り付けた状態では、第２表示側接続端子１４０を除いた残りの表示側接続端子に電源側接続端子が接続されるのを阻止できる。ただし、この構成は表示システムの必須の構成ではなく、接続阻止部は省略されていてもよい。
【００６９】
第３の態様の表示システム１では、第１又は２の態様において、第２電源変換モジュール９は、造営材に表示装置２を取り付けるための取付ベース１０と一体である。
【００７０】
第３の態様によれば、第２電源変換モジュール９と取付ベース１０とを一体に構成しているので、第２電源変換モジュール９からの電源側接続端子を表示側接続端子に接続した後、取付ベース１０に表示装置２を取り付けるだけでよく、施工性が向上する。ただし、この構成は表示システムの必須の構成ではなく、第２電源変換モジュールは、取付ベースと別体であってもよい。
【００７１】
第４の態様の表示システム１では、第３の態様において、第２電源変換モジュール９は、造営材に表示装置２を取り付けた状態において造営材の内側に埋め込まれている。
【００７２】
第４の態様によれば、造営材に表示装置２を取り付けた状態では、第２電源変換モジュール９は造営材の内側（裏側）に埋め込まれているので、造営材の表面側から見て表示装置２のみが見えることになり、見栄えを向上させることができる。ただし、この構成は表示システムの必須の構成ではなく、例えば造営材に表示装置を取り付けた状態において第２電源変換モジュールの一部が造営材から露出していてもよい。
【００７３】
第５の態様の表示装置２は、上述の表示システム１に用いられる。
【００７４】
第５の態様によれば、複数種類の給電方式に対応することができる。
【００７５】
第６の態様の電源変換モジュール（第１電源変換モジュール９及び第２電源変換モジュール４）は、上述の表示システム１に用いられる。
【００７６】
第６の態様によれば、複数種類の給電方式に対応することができる。
【符号の説明】
【００７７】
１  表示システム
２  表示装置
１３０  第１表示側接続端子（表示側接続端子）
１４０  第２表示側接続端子（表示側接続端子）
４  第１電源変換モジュール（電源変換モジュール）
４３０  第１電源側接続端子
９  第２電源変換モジュール（電源変換モジュール）
９４０  第２電源側接続端子
１０  取付ベース
１０６  接続阻止部
【図１】
2018097271.tif 000003
【図２】
2018097271.tif 000004
【図３】
2018097271.tif 000005
【図４】
2018097271.tif 000006
【図５】
2018097271.tif 000007
【図６】
2018097271.tif 000008
【図７】
2018097271.tif 000009